(57)【特許請求の範囲】
【請求項１】
洗い場床と側壁と天井とを有する浴室を乾燥させる浴室乾燥装置であって、
前記浴室内の空気を吸い込む吸込口と、前記吸込口によって吸い込まれた空気を前記浴室内へ吹き出す吹出口と、を有する風路と、
前記吸込口によって吸い込まれた空気を加熱する加熱部と、
使用者が入浴することを検知する入浴検知手段と、
前記入浴検知手段によって前記使用者が入浴することが検知されると、前記吹出口から前記天井に向けて吹き出される空気によって前記天井が温められるように前記加熱部を制御する第１制御を実施する制御部と、
を備え、
前記吹出口は、前記天井へ向けて直接的に空気を吹き出す第１範囲と、前記側壁または前記洗い場床へ向けて直接的に空気を吹き出す第２範囲とに、前記吹出口から吹き出される空気の方向を変化させる可動部を含み、
前記入浴検知手段は、使用者の入浴前に行われる予備動作に関する情報を検出または受信し、前記情報に関する信号を前記制御部に送信し、
前記制御部は、前記信号に基づいて前記可動部を前記第１範囲に位置させ、前記第１制御を実施することにより、使用者の入浴前に前記天井を温めることを特徴とする浴室乾燥装置。
【請求項２】
前記制御部は、前記吹出口から吹き出される空気によって前記浴室内が暖められるように前記加熱部を制御する第２制御をさらに実施し、
前記第１制御において前記吹出口から吹き出される風量は、前記第２制御において前記吹出口から吹き出される風量よりも少ないことを特徴とする請求項１記載の浴室乾燥装置。
【請求項３】
前記制御部は、前記吹出口から吹き出される空気によって前記浴室内が暖められるように前記加熱部を制御する第２制御と前記第１制御とを交互に実施する第３制御を行い、前記第１制御において前記吹出口から前記天井の第１領域に向けて空気が吹き出されるように前記可動部を制御し、前記第２制御において前記吹出口から前記洗い場床及び前記側壁の第２領域に向けて空気が吹き出されるように前記可動部を制御し、
前記第３制御において、前記第１領域の面積に対する前記第１領域に向けて吹き出される空気の熱量の割合は、前記第２領域の面積に対する前記第２領域に向けて吹き出される空気の熱量の割合よりも高いことを特徴とする請求項１または２に記載の浴室乾燥装置。
【請求項４】
前記制御部は、前記第３制御において、前記第１制御を実施する時間の長さと前記第２制御を実施する時間の長さとによって、前記第１領域に向けて吹き出される空気の前記熱量及び前記第２領域に向けて吹き出される空気の前記熱量を制御することを特徴とする請求項３記載の浴室乾燥装置。
【発明の詳細な説明】
【技術分野】
【０００１】
本発明の態様は、一般的に、浴室乾燥装置に関する。
【背景技術】
【０００２】
使用者が入浴を行うと、浴室の洗い場床や側壁に水滴が付着する。この水滴には、洗剤や人体の皮脂等の汚れが含まれている。このような汚れは、カビにとっての栄養分となる。また、浴室は、温度や湿度に関して、カビが成長するために十分な環境であることが多い。
【０００３】
例えば、洗い場床は、浴室の中でも水滴が付着しやすく、カビが発生し易い部分であると考えられている。これに対して、洗い場床の材料の変更や洗い場床の形状の工夫が行われている。これにより、水はけを良くし、カビの発生を抑制することができる。また、浴室には、浴室内を乾燥させるための浴室乾燥装置が設置されることがある。この浴室乾燥装置は、例えば、汚れやすいと考えられる洗い場床に空気を送ることで乾燥を促進する。これによりカビの発生を抑制することが可能である。
【先行技術文献】
【特許文献】
【０００４】
【特許文献１】特開平９−７２５５９号公報
【発明の概要】
【発明が解決しようとする課題】
【０００５】
使用者が入浴を行うと、浴室内に蒸気（水蒸気）が生じる。この蒸気にも洗剤や人体の皮脂等の汚れが含まれている。このような蒸気が浴室の天井に到達すると、蒸気の温度と天井の温度との差によって、天井において、結露が生じる。つまり、汚れを含む水滴は、洗い場床や側壁に限らず、天井面にも付着する。このため、天井にカビが発生することがある。また、天井にカビが発生してしまうと、そのカビが放出する胞子によって、カビが浴室全体に広がってしまうことがある。これに対して、従来の浴室乾燥装置は、汚れやすいと考えられる洗い場床や側壁を乾燥させるものであるため、天井におけるカビの発生を抑制することは困難である。
【０００６】
本発明は、かかる課題の認識に基づいてなされたものであり、天井におけるカビの発生を抑制することができる浴室乾燥装置を提供することを目的とする。
【課題を解決するための手段】
【０００７】
第１の発明は、洗い場床と側壁と天井とを有する浴室を乾燥させる浴室乾燥装置であって、前記浴室内の空気を吸い込む吸込口と、前記吸込口によって吸い込まれた空気を前記浴室内へ吹き出す吹出口と、を有する風路と、前記吸込口によって吸い込まれた空気を加熱する加熱部と、使用者が入浴することを検知する入浴検知手段と、前記入浴検知手段によって前記使用者が入浴することが検知されると、前記吹出口から前記天井に向けて吹き出される空気によって前記天井が温められるように前記加熱部を制御する第１制御を実施する制御部と、を備えたことを特徴とする浴室乾燥装置である。前記吹出口は、前記天井へ向けて直接的に空気を吹き出す第１範囲と、前記側壁または前記洗い場床へ向けて直接的に空気を吹き出す第２範囲とに、前記吹出口から吹き出される空気の方向を変化させる可動部を含む。前記入浴検知手段は、使用者の入浴前に行われる予備動作に関する情報を検出または受信し、前記情報に関する信号を前記制御部に送信する。前記制御部は、前記信号に基づいて前記可動部を前記第１範囲に位置させ、前記第１制御を実施することにより、使用者の入浴前に前記天井を温める。
【０００８】
この浴室乾燥装置によれば、浴室の天井を温めることで、使用者の入浴中に浴室内に発生する蒸気と天井との温度差を低減させることができる。これにより、蒸気が天井に到達しても、結露が発生することを抑制することができる。天井の結露を抑制することで、天井にカビが発生することを抑制できる。さらに、天井からカビの胞子が浴室全体に飛散することを抑制することができため、浴室全体のカビの発生を抑制することができる。また、浴槽へのお湯張りの開始指示や脱衣室への入室などの予備動作に基づいて、天井を温める第１制御が開始されるため、使用者が入浴を開始するまでの時間を有効に利用して天井を温めることができる。したがって、使用者が入浴を開始するときには、天井が温められた状態とすることができ、天井の結露の発生を抑制することができる。これにより、天井にカビが発生することを効率よく抑制することができる。
【００１１】
第２の発明は、第１の発明において、前記制御部は、前記吹出口から吹き出される空気によって前記浴室内が暖められるように前記加熱部を制御する第２制御をさらに実施し、前記第１制御において前記吹出口から吹き出される風量は、前記第２制御において前記吹出口から吹き出される風量よりも少ないことを特徴とする浴室乾燥装置である。
【００１２】
この浴室乾燥装置によれば、浴室内を暖める第２制御における風量よりも、天井を温める第１制御における風量が少ない。これにより、第１制御においては、暖かい空気を天井付近に滞留させることができ、効率よく天井を温めることができる。
【００１３】
第３の発明は、第１または第２の発明において、前記制御部は、前記吹出口から吹き出される空気によって前記浴室内が暖められるように前記加熱部を制御する第２制御と前記第１制御とを交互に実施する第３制御を行い、前記第１制御において前記吹出口から前記天井の第１領域に向けて空気が吹き出されるように前記可動部を制御し、前記第２制御において前記吹出口から前記洗い場床及び前記側壁の第２領域に向けて空気が吹き出されるように前記可動部を制御し、前記第３制御において、前記第１領域の面積に対する前記第１領域に向けて吹き出される空気の熱量の割合は、前記第２領域の面積に対する前記第２領域に向けて吹き出される空気の熱量の割合よりも高いことを特徴とする浴室乾燥装置である。
【００１４】
この浴室乾燥装置によれば、使用者が入浴する前に天井を温め、さらに浴室内が暖められる。この際、天井へ向けて吹き出される空気の熱量が比較的大きい。これにより、全方向に同じように空気を吹き出す場合に比べて、短い時間で天井を暖めることができる。例えば、天井温めが浴槽へのお湯張りに応じて開始される場合に、お湯張り時に発生する蒸気が天井に到達しても、短い時間で天井が暖められているため、結露の発生を抑制しやすい。
【００１５】
第４の発明は、第３の発明において、前記制御部は、前記第３制御において、前記第１制御を実施する時間の長さと前記第２制御を実施する時間の長さとによって、前記第１領域に向けて吹き出される空気の前記熱量及び前記第２領域に向けて吹き出される空気の前記熱量を制御することを特徴とする浴室乾燥装置である。
【００１６】
この浴室乾燥装置によれば、時間の長さによって、吹き出される空気の熱量を調整することができ、制御が簡単である。このため、第１制御と第２制御との切り替えをスムーズに行うことができる。
【発明の効果】
【００１７】
本発明の態様によれば、天井におけるカビの発生を抑制することができる浴室乾燥装置が提供される。
【図面の簡単な説明】
【００１８】
【図１】本発明の実施の形態に係る浴室乾燥装置が設置された浴室を表す模式的斜視図である。
【図２】本実施形態に係る浴室乾燥装置の要部構成を表す模式図である。
【図３】本実施形態に係る浴室乾燥装置を例示する模式的断面図である。
【図４】本実施形態に係る浴室乾燥装置を例示するブロック図である。
【図５】図５（ａ）及び図５（ｂ）は、本実施形態に係る浴室乾燥装置の動作を例示する模式図である。
【図６】本実施形態に係る他の浴室乾燥装置の要部構成を表す模式図である。
【図７】本実施形態に係る他の浴室乾燥装置を例示するブロック図である。
【図８】本実施形態に係る他の浴室乾燥装置の動作を例示する模式図である。
【図９】本実施形態に係る他の浴室乾燥装置の動作を例示するフローチャートである。
【図１０】図１０（ａ）〜図１０（ｂ）は、本実施形態に係る他の浴室乾燥装置の動作を例示する模式図である。
【図１１】図１１（ａ）〜図１１（ｃ）は、本実施形態に係る他の浴室乾燥装置の動作を例示する模式図である。
【図１２】図１２（ａ）〜図１２（ｂ）は、本実施形態に係る他の浴室乾燥装置の動作を例示する模式図である。
【発明を実施するための形態】
【００１９】
以下、本発明の実施の形態について図面を参照しつつ説明する。なお、各図面中、同様の構成要素には同一の符号を付して詳細な説明は適宜省略する。  
図１は、本発明の実施の形態に係る浴室乾燥装置が設置された浴室を表す模式的斜視図である。  
図１に表したように、本実施形態に係る浴室乾燥装置１００は、浴室１０に設置される。  
浴室１０は、洗い場床１３と、側壁１２と、天井１１と、を有する。浴室１０は、側壁１２の４つの壁面、天井１１及び床面によって区画された空間である。さらに、浴室１０は、洗い場床１３と隣接して設けられた浴槽１４を有する。  
浴室乾燥装置１００は、例えば、このような浴室１０の天井１１に設置される。例えば、浴室乾燥装置１００は、浴槽１４の上方に位置する。
【００２０】
図２は、本実施形態に係る浴室乾燥装置の要部構成を表す模式図である。図２では、風路系統と電気系統とを併せて表している。  
図３は、本実施形態に係る浴室乾燥装置を例示する模式的断面図である。  
図４は、本実施形態に係る浴室乾燥装置を例示するブロック図である。
【００２１】
図２に表したように、浴室乾燥装置１００は、風路１１６と、加熱部１１８と、制御部１２０と、ファン１２２と、を有する。風路１１６は、吸込口１１２と、吹出口１１４と、を有する。さらに、浴室乾燥装置１００は、入浴検知手段１１０を有する（図１及び図４を参照）。
【００２２】
この例では、浴室乾燥装置１００は、ビルトイン（天井埋め込み）タイプである。すなわち、図３に表したように、天井１１に設置された状態において、浴室乾燥装置１００の上部は、天井１１よりも上方に位置し、浴室１０の外部に配置される。浴室乾燥装置１００の下部は、天井１１よりも下方に位置し、浴室１０の内部に配置される。
【００２３】
図２に表した風路１１６は、浴室乾燥装置１００の筐体１１１の内部に設けられた空気の通路である。風路１１６は、吸込口１１２及び吹出口１１４を繋ぐ。吸込口１１２及び吹出口１１４は、それぞれ浴室１０へ通じている。これにより、風路１１６は、吸込口１１２及び吹出口１１４を介して、浴室１０の内部と通じている。
【００２４】
ファン１２２は、風路１１６の内部に設けられる。ファン１２２は、例えばモータを含む。ファン１２２（モータ）が通電されることによって、モータが回転し、ファン１２２が駆動される。これにより、ファン１２２は、風路１１６内に空気の流れを発生させる。
【００２５】
図２及び図３に表した矢印Ａ１のように、ファン１２２の動作に応じて、吸込口１１２は、浴室内の空気を吸い込む。吸い込まれた空気は、風路１１６を通り、ファン１２２によって吹出口１１４へ導かれる。図２及び図３に表した矢印Ａ２のように、吹出口１１４は、吸込口１１２によって吸い込まれた空気を浴室１０内へと吹き出す。
【００２６】
加熱部１１８は、風路１１６の内部に設けられる。図２の例では、加熱部１１８は、風路１１６上において、ファン１２２と吹出口１１４との間に位置する。加熱部１１８は、例えば電気ヒータである。加熱部１１８が通電されることによって、加熱部１１８は、風路１１６内の空気を加熱する。すなわち、加熱部１１８は、吸込口１１２によって吸い込まれた空気を加熱する。これにより、加熱された空気を吹出口１１４から吹き出すことができる。
【００２７】
また、図３に表したように、浴室乾燥装置１００には、さらに吸込口１３２及び排出口１３４が設けられてもよい。これにより、矢印Ａ３のように、外気（例えば、浴室１０と隣接して設けられた脱衣室の空気）が吸込口１３２から吸い込まれる。また、ダンパ１３６の位置を調整することで、矢印Ａ４のように、吸い込まれた空気が排出口１３４から浴室外へ排出される。
【００２８】
制御部１２０は、例えば、浴室乾燥装置１００の筐体１１１の内部に設けられた電気回路である。制御部１２０は、入浴検知手段１１０、ファン１２２及び加熱部１１８に接続されている。制御部１２０は、ファン１２２の動作（通電）、及び、加熱部１１８の動作（通電）を制御する。これにより、浴室乾燥装置１００は、浴室１０の内部に温風を送って浴室１０を乾燥させる「乾燥運転」を行う。また、浴室乾燥装置１００は、浴室１０の内部の空気を換気する「換気運転」と、浴室１０の内部の空気を暖める「暖房運転」と、天井１１を温める「天井温め運転」と、を実行することができる。
【００２９】
入浴検知手段１１０は、浴室１０の使用者が入浴することを検知する。ここで、「入浴すること」とは、ある時刻の後に使用者が入浴すること、を含む。例えば、入浴検知手段１１０は、使用者の入浴前に行われる予備動作に関する情報を検知する。入浴検知手段１１０は、検知結果（検知した情報に応じた信号）を制御部１２０に送信する。
【００３０】
制御部１２０は、入浴検知手段１１０によって使用者が入浴することが検知されると、入浴検知手段１１０から送信された信号に基づいて、第１制御（天井温めモード）を実施する。第１制御において、制御部１２０は、吹出口１１４から吹き出される空気によって天井１１が温められるように加熱部１１８及びファン１２２を制御する。
【００３１】
ここで、使用者の入浴前の予備動作は、一例としては、使用者が入浴に先立って、浴槽１４へのお湯張りを開始する指示を給湯器に対して行ったことである。図１に表した例では、入浴検知手段１１０は、浴槽１４に設置された水位センサである。水位センサによって、お湯張りが行われていることを検出することができる。これにより、使用者がお湯張りの開始を指示する予備動作を行ったことが分かる。すなわち、お湯張りの後に使用者が入浴することが検知される。
【００３２】
なお、水位センサには、静電容量式、圧力式、フロート式または超音波式など、任意の方式を用いることができる。静電容量式は、水（お湯）の誘電率を検知する方式である。圧力式は、水の圧力を検知する方式である。フロート式は、水によるフロート（浮き）の位置の変化を検知する方式である。超音波式は、超音波の水面における反射を検知する方式である。
【００３３】
また、入浴検知手段１１０は、予備動作として、給湯器のリモコン２１等に設けられた、お湯張り開始を指示するボタンなどが押されたことを検知してもよい。この場合、例えば、入浴検知手段１１０は、浴室乾燥装置１００の内部等に設けられた、信号の受信部を含む。例えば、お湯張り開始を指示するボタンが押されると、リモコン２１から入浴検知手段１１０へお湯張りに関する信号が送信される。入浴検知手段１１０は、この信号を受信することで、使用者が入浴することを検知することができる。なお、当該信号の送受信の方法は、有線または無線など、任意の方式でよい。
【００３４】
また、予備動作は、使用者が浴室１０に入室したこと、または、使用者が浴室１０に隣接して設けられた脱衣室に入室したこと、であってもよい。この場合、入浴検知手段１１０は、浴室１０または脱衣室に設けられた、使用者の入室を検知するセンサである。入室を検知するセンサには、例えば、赤外線投受光式の距離センサなどを用いることができる。人体を検知することで、使用者の入室を検知することができる。これにより、例えば、脱衣室の入室の後に使用者が入浴することを検知することができる。
【００３５】
また、入浴検知手段１１０は、予備動作として、使用者の浴室乾燥装置１００自身への操作を検知してもよい。例えば、使用者は、浴室乾燥装置１００の動作（運転）を制御するためのリモコン２０のボタンを押して、浴室乾燥装置１００の機能（例えば「天井温め」）を利用する。この場合には、入浴検知手段１１０は、リモコン２０のボタンを含む。これにより、その後に使用者が入浴することを検知してもよい。
【００３６】
その他、使用者が入浴することの検知は、脱衣室の照明のオン及びオフを検知して、その信号を受信することでもよい。また、使用者が入浴することの検知は、お湯張りの開始又はお湯張りの終了を、給湯器が使用者に知らせる音声をマイク等のセンサによって受信することでもよい。
【００３７】
なお、入浴検知手段１１０は、上記の動作に限らず、使用者が入浴していることを検知してもよい。また、入浴とは、使用者が浴槽に張られたお湯を使用することだけでなく、浴室１０内に設けられたシャワーや水道から供給されるお湯（水）を使用することも含む。
【００３８】
使用者が入浴を行うと、洗い場床や側壁に水滴が付着する。また、使用者が入浴中に利用するお湯から蒸気が発生し、蒸気の温度と天井の温度との差によって、蒸気が天井１１まで到達すると、天井に結露が発生する。これにより、天井にも水滴が付着する。
【００３９】
このようにして生じた水滴は、洗剤や使用者の皮脂等を含んでいる。例えば、浴室１０内で発生した水蒸気は皮脂等の汚れを多く含むため、結露によって天井に発生する水滴にも皮脂等が含まれる。このような洗剤や皮脂等は、カビにとっての栄養分となる。浴室は、温度や湿度に関して、カビが発生するために十分な環境であることが多い。このため、栄養分が存在することで、カビが発生しやすくなる。例えば、上述の水滴が付着した箇所にカビが生えてしまうことがある。
【００４０】
特に洗い場床の上には、入浴中に水（お湯）が多く流れる。そこで、従来の浴室乾燥装置では、濡れやすい洗い場床や側壁に向けて温風を送り、乾燥を行う。これにより、カビの発生を抑制することができる。
【００４１】
従来、洗い場床は、浴室の中でも、汚れた水滴が最も付着しやすいと考えられていた。そこで、洗い場床には、水の流れを促進して水はけを良くするため、形状（勾配や凹凸）や材料の変更などの工夫がなされる。しかし、本願発明者らの検討によれば、洗い場床に付着する水滴に比べて、結露によって天井に発生する水滴の方が多い場合があることが分かった。また、浴室の中でも天井は、洗い場床のような工夫がなされておらず、さらに、蒸気から水滴になるため、天井から水滴が落下しづらく水滴が滞留し汚れが蓄積されやすい場所であるという知見が得られた。このため、結露が生じると天井にカビが発生し易いと考えられる。天井にカビが発生すると、このカビが胞子を放出し、浴室全体にカビが広がってしまうことがある。
【００４２】
従来の浴室乾燥装置は、上述のように、主に洗い場床などの汚れやすい部分を乾燥させるため、天井のカビを有効に抑制することは困難である。これに対して、本実施形態に係る浴室乾燥装置１００では、入浴検知手段１１０が使用者の入浴を検知すると、制御部１２０が天井を温める第１制御を実施する。天井を温めることで、使用者の入浴中に生じる蒸気の温度と、天井の温度と、の差を小さくすることができる。これにより、蒸気が天井に到達しても、天井の結露の発生を抑制することができる。天井に水滴が付着することを抑制できるため、カビの発生を防止することができる。
【００４３】
また、第１制御は、使用者の入浴前の予備動作に関する情報に基づいて実施される。このため、使用者が入浴を開始したときには、天井は温められた状態となる。これにより、天井の結露の発生をさらに抑制することができる。したがって、天井にカビが発生することを効率良く抑制することができる。
【００４４】
図５（ａ）及び図５（ｂ）は、本実施形態に係る浴室乾燥装置の動作を例示する模式図である。  
図５（ａ）は、浴室乾燥装置１００が「天井温め運転」を行っている様子を例示する。すなわち、図５（ａ）は、制御部１２０が第１制御を実施しているときの様子を例示する。  
図５（ｂ）は、浴室乾燥装置１００が「暖房運転」を行っている様子を例示する。このとき、制御部１２０は、第２制御（暖房モード）を実施している。第２制御において、制御部１２０は、吹出口１１４から吹き出される空気によって浴室１０内が暖められるように加熱部１１８及びファン１２２を制御する。暖房運転では、浴室内に温風を送ることで、浴室内の寒さを緩和する。例えば、暖房運転によって、使用者の入浴前に浴室内が暖められる。
【００４５】
図５（ｂ）の矢印Ａ６に示すように、第２制御が実施されるときには、比較的勢いの強い温風が浴室１０内に送られる。これにより、温風は、例えば側壁１２や洗い場床１３に沿って流れ、浴室全体を効率良く暖める。
【００４６】
これに対して、図５（ａ）の矢印Ａ５に示すように、第１制御（天井温めモード）が実施されるときには、吹出口１１４は、比較的弱い勢いで、熱い空気を浴室１０内に吹き出す。勢いが弱いことで、熱い空気は、浴室１０の上方に滞留しやすい。例えば、図５（ａ）に表したように、天井１１付近に熱い空気の層３０が形成される。これにより、効率良く天井１１を温めることができる。
【００４７】
すなわち、本実施形態によれば、第１制御において吹出口１１４から吹き出される風量（単位時間当たりの空気の量）は、第２制御において吹出口１１４から吹き出される風量よりも少ない。これにより、効率良く天井を温めることができる。
【００４８】
なお、図５（ａ）及び図５（ｂ）に表した例では、風量を変化させることで、第１制御と第２制御とを切り替えている。例えば、第２制御におけるファン１２２の出力は、第１制御におけるファン１２２の出力よりも高い。
【００４９】
但し、実施形態においては、吹出口１１４から吹き出される温風の温度を変化させることで、第１制御と第２制御とを切り替えてもよい。例えば、第１制御における加熱部１１８の出力を、第２制御における加熱部１１８の出力よりも高く設定する。これにより、第１制御において、比較的熱い空気が吹き出される。熱い空気は、上方に滞留しやすいため、例えば、熱い空気の層３０が形成されやすくなる。これにより、効率良く天井１１を温めることができる。
【００５０】
なお、第１制御と第２制御との切り替えとして、風量及び温度の両方を変化させてもよい。また、次に説明するように、温風が吹き出される方向を変化させることで、第１制御と第２制御とを切り替えてもよい。この場合には、風量及び温度を変化させなくてもよい。温風が吹き出される方向、風量及び温度を適宜組み合わせて変化させることで、第１制御と第２制御とを切り替えるようにしてもよい。
【００５１】
図６は、本実施形態に係る他の浴室乾燥装置の要部構成を表す模式図である。図６では、風路系統と電気系統とを併せて表している。  
図７は、本実施形態に係る他の浴室乾燥装置を例示するブロック図である。  
図８は、本実施形態に係る他の浴室乾燥装置の動作を例示する模式図である。  
図６〜図８に表した浴室乾燥装置１００ａは、図１〜図４に関して説明した浴室乾燥装置１００と同様に、吸込口１１２、風路１１６、加熱部１１８、制御部１２０、ファン１２２及び入浴検知手段１１０を有する。  
さらに、浴室乾燥装置１００ａは、可動部１２４を含む吹出口１１４ａを有する。可動部１２４以外については、吹出口１１４ａは、図１〜図４に関する説明と同様である。
【００５２】
可動部１２４は、吹出口から吹き出される空気の方向を変化させる。可動部１２４は、例えば、電動ルーバである。ルーバの浴室１０に対する角度を変化させることで、空気が吹き出される方向を変化させることができる。例えば、図７に示すように、可動部１２４は、制御部１２０と電気的に接続されており、制御部１２０は、可動部１２４の動作を制御する。
【００５３】
例えば、可動部１２４は、図８に表したように、範囲Ｓａ内を動く（回転する）ことができる。範囲Ｓａは、第１範囲Ｓ１と第２範囲Ｓ２とを含む。第１範囲Ｓ１において可動部１２４（ルーバ）は、天井１１の方向に向いた状態であり、第２範囲Ｓ２において可動部１２４は、側壁１２または洗い場床１３の方向に向いた状態である。
【００５４】
すなわち、可動部１２４が第１範囲Ｓ１内にあるときには、吹出口１１４ａは、第１領域Ｒ１（天井１１の少なくとも一部）へ向けて空気を吹き出す。  
可動部１２４が第２範囲Ｓ２内にあるときには、吹出口１１４ａは、第２領域Ｒ２へ向けて空気を吹き出す。ここで、第２領域Ｒ２は、側壁１２の少なくとも一部（領域Ｒ２１）及び洗い場床１３の少なくとも一部（領域Ｒ２２）である。
【００５５】
制御部１２０は、天井を温める第１制御において、可動部１２４の位置が第１範囲Ｓ１内となるように、ファン１２２、加熱部１１８及び可動部１２４を制御する。また、制御部１２０は、浴室内を暖める第２制御において、可動部１２４の位置が第２範囲Ｓ２内となるように、ファン１２２、加熱部１１８及び可動部１２４を制御する。このように、温風の方向を可動部１２４を用いて制御することによって、さらに効率の良い運転を実施することができる。
【００５６】
次に、浴室乾燥装置１００ａの動作の具体例について説明する。  
図９は、本実施形態に係る他の浴室乾燥装置の動作を例示するフローチャートである。  図１０（ａ）〜図１０（ｂ）及び図１１（ａ）〜図１１（ｃ）は、本実施形態に係る他の浴室乾燥装置の動作を例示する模式図である。  
この例では、制御部１２０は、天井を温める第１制御と、浴室内を暖める第２制御と、を交互に実施する第３制御を行う。これにより、使用者が入浴するときには、天井が温められ、且つ、浴室内が暖められた状態とすることができる。
【００５７】
図９に表したステップＳ１０１において、浴室乾燥装置１００ａは、入浴検知手段１１０によって使用者の入浴を検知する。この検知は、図１〜図４に関して説明した浴室乾燥装置１００と同様である。使用者が入浴することが検知された場合は、ステップＳ１０２へ進む。
【００５８】
ステップＳ１０２において、制御部１２０は、第１制御を行う。このとき、図１０（ａ）に示した矢印Ａ７のように、吹出口１１４ａから温風が天井１１へ向けて吹き出される。
【００５９】
また、このとき、可動部１２４は、第１範囲Ｓ１内を移動する。例えば、可動部１２４は、位置Ｐ１（第１範囲Ｓ１の端）から位置Ｐ２（第１範囲Ｓ１の他端）へ移動し、再び、位置Ｐ１へ戻る。なお、可動部１２４の移動の開始位置は、位置Ｐ１に限らず、任意であり、例えば位置Ｐ２であってもよい。
【００６０】
第１範囲Ｓ１内における可動部１２４の移動速度（回転速度の絶対値）は、図１１（ａ）に示したように例えば、Ｖ１である。なお、図１１（ａ）の縦軸は、可動部１２４の移動速度を表し、横軸は、時間を表す。
【００６１】
ステップＳ１０３に示すように、所定時間Ｔｍ１が経過するまで、天井を温める第１制御が続けられる。この所定時間Ｔｍ１は、例えば、可動部１２４が第１範囲Ｓ１内を移動したときに、位置Ｐ１に到るまでの時間である。
【００６２】
所定時間Ｔｍ１が経過すると、ステップＳ１０４において、制御部１２０は、第２制御を行う。このとき、図１０（ｂ）に示した矢印Ａ８のように、吹出口１１４ａから温風が側壁１２または洗い場床１３へ向けて吹き出される。
【００６３】
また、このとき、可動部１２４は、第２範囲Ｓ２内を移動する。例えば、可動部１２４は、位置Ｐ１（第２範囲Ｓ２の端）から位置Ｐ３（第２範囲Ｓ２の他端）へ移動し、再び、位置Ｐ１へ戻る。第２範囲Ｓ２内における可動部１２４の移動速度は、図１１（ｂ）に示したように例えば、Ｖ２である。Ｖ２は、Ｖ１よりも大きい。
【００６４】
ステップＳ１０５に示すように、所定時間Ｔｍ２が経過するまで、浴室１０内を暖める第２制御が続けられる。この所定時間Ｔｍ２は、例えば、可動部１２４が第２範囲Ｓ２内を移動して、再び位置Ｐ１に到るまでの時間である。
【００６５】
制御部１２０は、以上のようなステップＳ１０２〜ステップＳ１０５を繰り返す。このようにして、第１制御及び第２制御が繰り返し交互に実施される。  
制御部１２０による上記の第３制御は、例えば、使用者が入浴を終えてリモコン２０から浴室乾燥装置に「換気運転」を指示したときに終了する。または、使用者が浴室乾燥装置に運転終了を指示してもよい。タイマーなどを用いて所定時間経過したときに運転が終了するようにしてもよい。その他、入浴検知手段と同様のセンサを用いて入浴の終了を検出し、自動で運転が終了するようにしてもよい。
【００６６】
図１１（ａ）に関して説明したように、本具体例では、可動部１２４の移動速度を調整する。ステップＳ１０２及びＳ１０５の所定時間は、可動部１２４の移動速度によって定められる。このため、移動速度の調整によって、第１制御の実施時間の長さと、第２制御の実施時間の長さと、が調整される。
【００６７】
第１制御の実施時間の長さ、すなわち、第１領域Ｒ１に向けて温風が吹き出される時間の長さによって、第１領域Ｒ１に向けて吹き出される空気の熱量が制御される。また、第２制御の実施時間の長さ、すなわち、第２領域Ｒ２に向けて温風が吹き出される時間の長さによって、第２領域Ｒ２に向けて吹き出される空気の熱量が制御される。
【００６８】
図１１（ｂ）の縦軸は、各領域に供給される熱量を表し、横軸は、時間を表す。  
ステップＳ１０２及びＳ１０３において第１領域Ｒ１に向けて吹き出される空気の熱量（Ｃ１）の、第１領域Ｒ１の面積（Ａｒ１）に対する割合は、Ｃ１／Ａｒ１である。  
ステップＳ１０４及びＳ１０５において第２領域Ｒ２に向けて吹き出される空気の熱量（Ｃ２）の、第２領域Ｒ２の面積（Ａｒ２）に対する割合は、Ｃ２／Ａｒ２である。  
図１１（ｂ）に示すように、Ｃ１／Ａｒ１は、Ｃ２／Ａｒ２よりも高い。
【００６９】
このように、第３制御においては、第１領域Ｒ１に向けて吹き出される空気の熱量は、第２領域Ｒ２に向けて吹き出される空気の熱量よりも大きくなるように制御される。これにより、全方向に同じように空気を吹き出す場合に比べて、短い時間で天井を暖めることができる。例えば、第３制御がお湯張りに応じて開始される場合に、お湯張り時に発生する蒸気が天井に到達しても、短い時間で天井が暖められるため、結露の発生を抑制しやすい。
【００７０】
なお、熱量（Ｃ１）は、第３制御において第１領域Ｒ１に供給される熱量（第１領域Ｒ１の温度変化）と考えてもよく、熱量（Ｃ２）は、第３制御において第２領域Ｒ２に供給される熱量（第２領域Ｒ２の温度変化）と考えてもよい。  
また、図１１（ａ）及び図１１（ｂ）の例では、熱量（Ｃ１）は、第１制御における加熱部１１８の出力（Ｗ）と、第１制御を行う時間（所定時間Ｔｍ１）と、の積に対応し、熱量（Ｃ２）は、第２制御における加熱部１１８の出力（Ｗ）と、第２制御を行う時間（所定時間Ｔｍ２）と、の積に対応する。
【００７１】
図１１（ｃ）は、天井に付着する水分量（任意単位）を例示する表である。  
天井の温度が常温のときに、使用者の入浴によって天井に付着する水分量は、３０である。これに対して、入浴の事前に天井温め（第１制御）を行って天井の温度を３５℃、４０℃、４５℃としたときに、使用者の入浴によって天井に付着する水分量は、それぞれ、１５、５、０となる。つまり、天井に多くの熱量を供給して、天井の温度を高くすることにより、結露の発生が抑制されることが分かる。
【００７２】
以上説明した動作では、第１制御と第２制御との切り替えは、可動部１２４の向きと、可動部１２４の移動速度と、によって実施される。本具体例では、前述した通り、可動部１２４の移動速度によって、各制御の時間が調整され、これにより、吹き出される空気の熱量を調整することができる。このとき、温風の温度（加熱部１１８の出力）及び風量（ファン１２２の出力）は、例えば、一定である。このため、制御が簡単である。したがって、第１制御と第２制御との切り替えをスムーズに行うことが可能である。
【００７３】
但し、実施形態においては、図１２（ａ）に示したように、第１制御と第２制御との切り替えは、可動部１２４の向きと、温風の温度（加熱部の出力）と、によって行われてもよい。例えば、第１制御における温風の温度Ｔ１を、第２制御における温風の温度Ｔ２よりも高くする。これにより、図１１（ｂ）と同様に、熱量を制御することが可能である。
【００７４】
また、図１２（ｂ）に示したように、第１制御と第２制御との切り替えは、可動部１２４の向きと、風量（ファン１２２の出力）と、によって行われてもよい。例えば、第１制御における風量Ａｖ１を、第２制御における風量Ａｖ２よりも少なくする。これにより、熱い空気が天井１１の付近に滞留しやすく、天井１１を効率良く温めることができる。
【００７５】
なお、第１制御と第２制御との切り替えにおいては、可動部１２４の向き、可動部１２４の移動速度、風量、及び温度のそれぞれを、適宜組み合わせて変化させてもよい。
【００７６】
以上説明したように、本実施形態によれば、使用者の入浴前に天井を温めることで、入浴時に天井における結露を抑制する。これにより、天井にカビが発生することを抑制することができる。
【００７７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴室乾燥装置１００、風路１１６、加熱部１１８、制御部１２０、ファン１２２及び可動部１２４などが備える各要素の形状、寸法、材質、配置などや加熱部１１８、制御部１２０、ファン１２２及び可動部１２４の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７８】
１０ 浴室、  １１ 天井、  １２ 側壁、  １３ 洗い場床、  １４ 浴槽、  ２０、２１ リモコン、  ３０ 空気の層、  １００、１００ａ 浴室乾燥装置、  １１０ 入浴検知手段、  １１１ 筐体、  １１２ 吸込口、  １１４、１１４ａ 吹出口、  １１６ 風路、  １１８ 加熱部、  １２０ 制御部、  １２２ ファン、  １２４ 可動部、  １３２ 吸込口、  １３４ 排出口、  １３６ ダンパ、  Ａ１〜Ａ８ 矢印、  Ｐ１〜Ｐ３ 位置、  Ｒ１ 第１領域、  Ｒ２ 第２領域、  Ｒ２１、Ｒ２２ 領域、  Ｓ１ 第１範囲、  Ｓ１０１〜Ｓ１０５ ステップ、  Ｓ２ 第２範囲、  Ｓａ 範囲、Ｔｍ１、Ｔｍ２ 所定時間
【図１】
0006464959.tif 000002
【図２】
0006464959.tif 000003
【図３】
0006464959.tif 000004
【図４】
0006464959.tif 000005
【図５】
0006464959.tif 000006
【図６】
0006464959.tif 000007
【図７】
0006464959.tif 000008
【図８】
0006464959.tif 000009
【図９】
0006464959.tif 000010
【図１０】
0006464959.tif 000011
【図１１】
0006464959.tif 000012
【図１２】
0006464959.tif 000013